(57)【要約】【課題】コアが変形して、固定子と回転子の隙間（エアギャップ）が小さくなる。【解決手段】ケーシング１の胴部１ｃは、８個の割金型８１を使用してエキスパンダ法にて成形される。したがって、胴部１ｃの内周面に、内径方向突出部５０が周方向に沿って４５度ピッチで８個形成される。また、コア３２の外周面には、冷媒ガスの導通路を形成する８個の切欠き部４０が形成される。そして、８個の内径方向突出部５０が、それぞれ、周方向について８個の切欠き部４０に配置される。【選択図】図２
2015124607.tif 000002
【特許請求の範囲】
【請求項１】
冷媒を圧縮する圧縮機構と、前記圧縮機構を駆動する駆動機構とを内部に有するケーシングを備え、
前記ケーシングが、複数の割金型を使用して成形されたものであって、
前記駆動機構が、固定子と、前記固定子の内側に配置された回転子とを有し、
前記固定子の外周面が、前記ケーシングの内周面に固定されると共に、複数の切欠き部を有しており、
前記複数の切欠き部の数が、前記複数の割金型の数と同一または前記複数の割金型の数の２倍であって、
前記ケーシングの内周面において前記複数の割金型のそれぞれの間に対応した内径方向突出部が、前記複数の切欠き部に配置されることを特徴とする圧縮機。
【請求項２】
前記複数の切欠き部が、周方向に沿って等ピッチで配置されることを特徴とする請求項１に記載の圧縮機。
【請求項３】
前記内径方向突出部は、それぞれ、周方向について前記切欠き部の中央に配置されることを特徴とする請求項１または２に記載の圧縮機。
【請求項４】
前記冷媒は、R３２冷媒であることを特徴とする請求項１−３のいずれかに記載の圧縮機。
【発明の詳細な説明】
【技術分野】
【０００１】
本発明は、冷媒を圧縮する圧縮機に関するものである。
【背景技術】
【０００２】
空気調和機に用いられる圧縮機には、ケーシングと、このケーシング内に配置される圧縮機構及び駆動機構とを備えたものがある。この圧縮機において、ケーシングは、複数の割金型を使用する拡管塑性加工法（エキスパンダ法） にて成形するのが一般的である。  この場合、ケーシングは、円筒体である胴部を有し、この胴部をエキスパンダ法にて成形する。そして、エキスパンダ法は、図３に示すように、まず、複数（この場合８個）の割金型８１を成形前の筒体に内嵌する。この際、周方向に沿って相対向する割金型８１の側面が接触するように、割金型８１を径方向内方へ移動させて縮径状態とする。次に、割金型８１を矢印のように、径方向外方へ移動（拡径）させる。これにより、筒体の内周面が割金型８１の円弧状の外面８４にて押圧され、この押圧部が外径側に膨出する。しかしながら、この拡開時においては、周方向に沿って隣合う割金型８１間には隙間が生じる。このため、膨出部８５間に膨出されない部分が残って内径方向突出部（分割部分痕）８６が形成される。
【０００３】
ケーシング内に配置された駆動機構は、クランク軸に外嵌固定される回転子と、この回転子の外周側に配置される固定子とを有している。そして、固定子は、コアと、このコアに巻設されるコイルとを有するものであって、このコアがケーシング内に焼嵌めによって固定される。このため、一般的には、コアをケーシング内に固定した際には、コアの外周面がケーシングの内径方向突出部に圧接することになる。
【先行技術文献】
【特許文献】
【０００４】
【特許文献１】特開２００５−１２７１５３
【発明の概要】
【発明が解決しようとする課題】
【０００５】
ところで、圧縮機では、冷媒ガスの導通路を形成するために、コアの外周面に切欠部を設けることがある。この場合、ケーシングの内径方向突出部が、コアの外周面において隣り合う切欠部間に対応した円弧部を押圧するように構成されている。したがって、コアの外周面に圧縮荷重がかかることにより、コアが変形して、固定子と回転子の隙間（エアギャップ）が小さくなり、異音の発生やモータの回転子と固定子が運転中に接触するという問題が発生する。
【０００６】
そこで、本発明の目的は、コアの変形を抑制できる圧縮機を提供することである。
【課題を解決するための手段】
【０００７】
第１の発明にかかる圧縮機は、冷媒を圧縮する圧縮機構と、前記圧縮機構を駆動する駆動機構とを内部に有するケーシングを備え、前記ケーシングが、複数の割金型を使用して成形されたものであって、前記駆動機構が、固定子と、前記固定子の内側に配置された回転子とを有し、前記固定子の外周面が、前記ケーシングの内周面に固定されると共に、複数の切欠き部を有しており、  前記複数の切欠き部の数が、前記複数の割金型の数と同一または前記複数の割金型の数の２倍であって、前記ケーシングの内周面において前記複数の割金型のそれぞれの間に対応した内径方向突出部が、前記複数の切欠き部に配置されることを特徴とする。
【０００８】
この圧縮機では、ケーシングの内周面において複数の割金型のそれぞれの間に対応した内径方向突出部が、複数の切欠き部に配置されるので、ケーシングの内径方向突出部が隣り合う切欠部間を押圧する場合と比べて、固定子が変形するのを抑制できる。
【０００９】
第２の発明にかかる圧縮機では、第１の発明にかかる圧縮機において、前記複数の切欠き部が、周方向に沿って等ピッチで配置されることを特徴とする。
【００１０】
この圧縮機では、固定子のコア部の切欠き部と、切欠き部をつなぐ両隣の円弧部の２ヶの接点（切欠きの数が８ヶのときは２ヶ×８組あり）が周方向に沿って等ピッチで配置されることになる。この場合、固定子押圧による圧縮荷重は各接点にかかるが、等ピッチに配置することで圧縮荷重が均等にかかることになり、不等ピッチの場合と比べて、固定子がいびつに変形するのを抑制できる。
【００１１】
第３の発明にかかる圧縮機は、第１または第２の発明にかかる圧縮機において、前記内径方向突出部が、それぞれ、周方向について前記切欠き部の中央に配置されることを特徴とする。
【００１２】
この圧縮機では、ケーシングの内周面において複数の割金型のそれぞれの間に対応した内径方向突出部が、それぞれ、周方向について切欠き部の中央に配置されるので、ケーシングの内径方向突出部が隣り合う切欠部間を押圧する場合と比べて、固定子が変形するのを効果的に抑制できる。
【００１３】
第４の発明にかかる圧縮機は、第１−第３のいずれかの発明にかかる圧縮機において、前記冷媒は、R３２冷媒であることを特徴とする。
【発明の効果】
【００１４】
以上の説明に述べたように、本発明によれば、以下の効果が得られる。
【００１５】
第１の発明では、ケーシングの内周面において複数の割金型のそれぞれの間に対応した部分（ケーシングの内径方向突出部）が、複数の切欠き部に配置されるので、ケーシングの内径方向突出部が隣り合う切欠部間を押圧する場合と比べて、固定子が変形するのを抑制できる。
【００１６】
第２の発明では、固定子のコア部の切欠き部と、切欠き部をつなぐ両隣の円弧部の２ヶの接点（切欠きの数が８ヶのときは２ヶ×８組あり）が周方向に沿って等ピッチで配置されることになる。この場合、固定子押圧による圧縮荷重は各接点にかかるが、等ピッチに配置することで圧縮荷重が均等にかかることになり、不等ピッチの場合と比べて、固定子がいびつに変形するのを抑制できる。
【００１７】
第３の発明では、ケーシングの内周面において複数の割金型のそれぞれの間に対応した内径方向突出部が、複数の切欠き部に配置されるので、ケーシングの内径方向突出部が隣り合う切欠部間を押圧する場合と比べて、固定子が変形するのを抑制できる。
【図面の簡単な説明】
【００１８】
【図１】本発明の実施形態に係る圧縮機の断面図である。
【図２】本発明の実施形態に係る圧縮機の水平断面図である。
【図３】本発明の実施形態に係る圧縮機のケーシングを成形する複数の割金型を説明する図である。
【図４】本発明の実施形態の変形例に係る圧縮機の水平断面図である。
【発明を実施するための形態】
【００１９】
以下、本発明に係る圧縮機の実施の形態について説明する。
【００２０】
＜圧縮機１の全体構成＞
図１に示すように、本実施形態の圧縮機１００は、密閉型回転圧縮機であって、ケーシング（密閉容器）１と、ケーシング１内の下部側に配置される圧縮機構２と、ケーシング１内の上部側に配置される駆動機構３とを備える。圧縮機１００は、Ｒ３２冷媒を圧縮するものであって、空気調和機の室外機に搭載される。また、ケーシング１は、円筒状の胴部１ａと、胴部１ａの下部に連設される底部材１ｂと、胴部１ａの上部に連設される吐出管４を有する上蓋部材１ｃとを有している。
【００２１】
圧縮機構２は、上シリンダ５と、下シリンダ６と、上シリンダ５の上側に配置される上支持部材７と、下シリンダ６の下側に配置される下支持部材８を備える。また、上シリンダ５と下シリンダ６との間には、仕切板９が介装されている。そして、ケーシング１内において、その軸心部に上下方向に沿って延びる回転軸１０が配置されている。回転軸１０には、その軸心に対して偏心した一対の偏心部１１、１２が設けられ、偏心部１１、１２にそれぞれローラ部材１３、１４が外嵌されている。そして、上側のローラ部材１３が上シリンダ５内に配置され、下側のローラ部材１４が下シリンダ６内に配置されている。
【００２２】
また、上下のシリンダ５、６には、それぞれ、吸込口１５、１６が形成され、吸込口１５、１６には、吸込管１７、１８が接続され、これらの吸込管１７、１８を介して、アキュームレータ２０から冷媒ガスがシリンダ５、６に供給される。なお、上支持部材７は、円筒部７ａと、円筒部７ａの下端部に連設される外鍔部７ｂとを有し、その軸心孔に回転軸１０が回転自在に挿通される。また、下支持部材８も、円筒部８ａと、円筒部８ａの上端部に連設される外鍔部８ｂとを有し、その軸心孔に回転軸１０が回転自在に挿通される。さらに、上下の支持部材７、８には、それぞれ、カップ部材２１、２２が付設されている。
【００２３】
次に、駆動機構３は、ケーシング１の内周面に固定される固定子３０と、固定子３０の内側に配置される回転子３１とを有している。また、固定子３０は、所定形状に形成されたコア（ステータコア）３２と、コア３２のティースに巻設されるコイル３６とを有する。なお、コア３２がケーシング１の胴部１ａ内に焼嵌めにより固定される。回転子３１には、回転軸１０が固定されている。
【００２４】
図２に示すように、コア３２の外周面には、冷媒ガスの導通路を形成する複数の切欠き部４０が形成される。コア３２の外周面において切欠き部４０が形成された部分は、ケーシング１の胴部１ａの内周面と当接しない。そして、本実施形態の圧縮機１００においても、従来の圧縮機と同様に、ケーシング１の胴部１ａは、図３に示すように、８個の割金型８１を使用してエキスパンダ法にて成形される。したがって、胴部１ａの内周面に、内径方向突出部（分割部分痕）５０が周方向に沿って４５度ピッチで８個形成され、隣り合う内径方向突出部５０間に、膨出部５２がそれぞれ形成される。なお、図２では、内径方向突出部５０及び割金型８１の押圧によって形成された膨出部５２を誇張して記載しているが、実際には微小であって、例えば、内径方向突出部５０の突出寸法が数１０μｍから数１００μｍ程度とされる。
【００２５】
本実施形態の圧縮機１００では、コア３２の外周面には、８個の切欠き部４０が形成されており、切欠き部４０の数が割金型の数と同一に構成される。そして、コア３２の外周面において、切欠き部４０の両端部が、ケーシング１の胴部１ａの膨出部５２に当接する。したがって、８個の内径方向突出部５０が、それぞれ、切欠き部４０に対向するように配置され（周方向について８個の切欠き部４０の内側に配置され）、内径方向突出部５０が、コアの外周面において隣り合う切欠き部４０間に対応した円弧部を押圧しないように構成されている。内径方向突出部５０は、それぞれ、周方向について切欠き部４０の中央に配置される。
【００２６】
＜本実施形態の圧縮機の特徴＞
本実施形態の圧縮機１００では、ケーシング１の内周面において、内径方向突出部５０が複数の切欠き部４０にそれぞれ配置されるので、内径方向突出部５０が隣り合う切欠き部４０間に対応した円弧部を押圧する場合と比べて、コア３２が変形するのを抑制できる。
【００２７】
本実施形態の圧縮機１００では、ケーシング１の内周面において複数の割金型のそれぞれの間に対応した内径方向突出部５０が、それぞれ、周方向について切欠き部４０の中央に配置されるので、ケーシングの内径方向突出部５０が隣り合う切欠部間を押圧する場合と比べて、コア３２が変形するのを効果的に抑制できる。
【００２８】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００２９】
上述の実施形態では、ケーシングが８個の割金型を使用して成形されたものであるが、ケーシングが複数（８個以外）の割金型を使用して成形されたものでもよい。
【００３０】
上述の実施形態では、複数の切欠き部の数が、複数の割金型の数と同一であるが、複数の切欠き部の数が、複数の割金型の数の２倍であってもよい。したがって、例えば、図４に示すように、ケーシング１の胴部１ａが、８個の割金型８１を使用してエキスパンダ法にて成形されたものであって、胴部１ａの内周面に、内径方向突出部（分割部分痕）５０が周方向に沿って４５度ピッチで８個形成され、隣り合う内径方向突出部５０間に、膨出部５２がそれぞれ形成される。本実施形態の圧縮機１００では、コア３２の外周面には、１６個の切欠き部４０が形成されており、切欠き部の数が割金型の数の２倍に構成される。そして、８個の内径方向突出部が、それぞれ、周方向について１６個の切欠き部４０に含まれる８個の切欠き部４０の内側に配置される。この場合も、上述の実施形態と同様の効果が得られる。
【００３１】
上述の実施形態では、コアの外周面に形成される切欠き部の一例を示したが、コアの外周面において切欠き部が形成された部分が、ケーシングの胴部の内周面と当接しないように構成されている場合、切欠き部の形状は変更してもよい。したがって、本発明において、ケーシングの内周面において複数の割金型のそれぞれの間に対応した内径方向突出部が複数の切欠き部に配置されるとは、ケーシングの内周面において複数の割金型のそれぞれの間に対応した内径方向突出部が、コアの外周面において切欠き部が形成された部分に対向することである。
【００３２】
また、上述の実施形態では、Ｒ３２冷媒を圧縮する圧縮機について説明しているが、その他の冷媒（例えばＲ４１０Ａ冷媒やＣＯ２冷媒）を圧縮する圧縮機であってもよい。
【産業上の利用可能性】
【００３３】
本発明を利用すれば、固定子が変形するのを抑制できる。
【符号の説明】
【００３４】
１  ケーシング
２  圧縮機構
３  駆動機構
３２  コア
４０  切欠き部
５０  内径方向突出部
１００  圧縮機
【図１】
2015124607.tif 000003
【図２】
2015124607.tif 000004
【図３】
2015124607.tif 000005
【図４】
2015124607.tif 000006